(57)【要約】  【課題】キャップの密着性能の向上及び分別回収機能の向上を図る。  【解決手段】キャップ本体５の天板壁６の上面に立設された螺子筒７と、該天板壁の下面に設けられ、容器口部２を挟持する外筒１０及び内筒９と、該外筒の外周面に設けた第１ラチェット部１９と、前記螺子筒に螺合される上蓋３１のスカート部３４と、該スカート部の下端にブリッジ３７を介して連続し、前記外筒を囲む環状バンド３８と、該環状バンドの内周面に設けられ、前記第１ラチェットと係合する第２ラチェット４０と、を備えたキャップであって、前記環状バンド３８の内周面に第１及び第２コンタクトリング４３、４５を設けるとともに、外筒の環状突条１１の上側に周方向弱化線１３を設ける。【選択図】  図１
2005239193.tif 000002
【特許請求の範囲】
【請求項１】
キャップ本体の天板壁の上面に立設された螺子筒と、該天板壁の下面に設けられ、容器口部を挟持する外筒及び内筒と、該外筒の外周面に設けた第１ラチェット部と、前記螺子筒に螺合される上蓋のスカート部と、該スカート部の下端にブリッジを介して連続し、前記外筒を囲む環状バンドと、該環状バンドの内周面に設けられ、前記第１ラチェットと係合する第２ラチェットと、を備えたキャップにおいて；
前記ラチェットの上方の、外筒の外周面と環状バンドの内周面間の隙間を密封するためのシール手段を設けたことを特徴とする容器のキャップ。
【請求項２】
前記シール手段は、環状バンドの内周面、又は、外筒に設けたコンタクトリングであることを特徴する請求項１記載の容器のキャップ。
【請求項３】
前記コンタクトリングは、キャップ本体の軸方向に間隔をあけて設けた複数のコンタクトリングから構成されていることを特徴とする請求項２記載の容器のキャップ。
【請求項４】
前記コンタクトリングは、環状バンドの上部の天壁に設けられ、スカート部の外周面段状部の上壁に圧接されるコンタクトリングであることを特徴とする請求項２記載の容器のキャップ。
【請求項５】
前記環状バンドの下端は、外筒の下端と同一平面状に位置していることを特徴とする請求項１、２，３，４記載の容器のキャップ。
【請求項６】
前記環状バンドの下端は、外筒の環状突条から上側に位置し、該外筒の環状突条の上側には、周方向弱化線が設けられていることを特徴とする請求項１、２，３，４記載の容器のキャップ。
【発明の詳細な説明】
【技術分野】
【０００１】
この発明は、容器の口部に打栓装着されるキャップに関するものであり、更に述べると、分別回収機能、タンパーエビデント（TE）機能と耐熱性（液密性）を有するキャップに関するものである。
【背景技術】
【０００２】
従来のキャップは、容器とキャップとを分離し易くするための分別機能や、不正開封を防止するためのタンパーエビデント(TE)機能を備えている（例えば、特許文献１参照）。
【０００３】
【特許文献１】特開平11-130113号公報
【０００４】
前記従来のキャップは、キャップ本体のスカート部の外面に形成された第一のラチェットと、環状バンド内面に形成された第二のラチェットとからなるラチェット機構を備えるとともに、打栓装着時のスカート部の拡径変形によって環状バンドが回転不能に固定され、最初の開蓋時にブリッジが切れることで確実なＴＥ性を得るとともに、内容物使用後には、スカート部を可及的に薄くして撓みやすくできるので、分別回収性も比較的良好である。
【発明の開示】
【発明が解決しようとする課題】
【０００５】
従来のキャップでは、拡径変形とラチェット機構の組合せを備えているので、締結力という点においては優れているが、密着性能という点においては改良の余地が残っている。
【０００６】
すなわち、ラチェット機構は、第１ラチェットと第２ラチェットの凸部が互に係止するので、その構造上、隙間が開きやすい。この様な隙間が存在すると、殺菌のために高温にした内容液を容器に充填し、該容器口部にキャップを打栓装着した後に行われる冷却洗浄の際に、上蓋と環状バンド上部の間から洗浄水が前記隙間に浸入したまる恐れがある。又、該浸入した洗浄水は、カビや埃付着の原因となり衛生上、好ましくない。
【０００７】
又、別の課題として、分別回収の困難さが挙げられる。上記技術においてもスカート部を可及的に薄く設計するので、ある程度分別回収性が改善されているが、分別回収時に切欠部にコインを差し込み、環状バンドを押し上げてキャップ本体から離脱させた後、キャップ本体を容器口部から分別する必要があり、この環状バンド取り外しの操作がわずらわしい。
【０００８】
本発明は、上記事情に鑑み、密着性能の向上を図ることを目的とする。他の目的は、分別回収機能の向上を図ることである。
【課題を解決するための手段】
【０００９】
この発明は、キャップ本体の天板壁の上面に立設された螺子筒と、該天板壁の下面に設けられ、容器口部を挟持する外筒及び内筒と、該外筒の外周面に設けた第１ラチェット部と、前記螺子筒に螺着される上蓋のスカート部と、該スカート部の下端に破断可能なブリッジを介して連続し、前記外筒を囲む環状バンドと、該環状バンドの内周面に設けられ、前記第１ラチェットと係合する第２ラチェットと、を備えたキャップにおいて；
前記ラチェットの上方の、外筒の外周面と環状バンドの内周面間の隙間を密着するためのシール手段を設けたことを特徴とする。
【００１０】
この発明のシール手段は、環状バンドの内周面、又は、外筒の外周面に設けたコンタクトリングであることを特徴する。このコンタクトリングは、キャップ本体の軸方向に間隔を開けて設けた複数のコンタクトリングから構成されていることを特徴とする。このコンタクトリングは、環状バンドの上部の天面に設けられ、スカート部の段状部の上壁に圧接されるコンタクトリングであることを特徴とする。
【００１１】
この発明の環状バンドの下端は、外筒の下端と同一平面状に位置していることを特徴とする。この発明の環状バンドの下端は、外筒の環状突条から上側に位置し、該外筒の環状突条の上側には、周方向弱化線が設けられていることを特徴とする。
【発明の効果】
【００１２】
この発明は、ラチェットの上方の、外筒の外周面と環状バンドの内周面間の隙間を密封するためのシール手段を設けたので、冷却洗浄等の際、ラチェット機構に洗浄水等が侵入するのを阻止することができる。
【００１３】
又、外筒の環状突条の上側には、周方向弱化線が設けられているので、該周方向弱化線を切り裂くと、キャップ本体の軸方向の抵抗が無くなるので、該キャップを容器口部から容易に外すことが出来る。
【００１４】
環状バンドは、キャップ本体より耐熱性のある材料で形成されているので、高温の内容液の熱が、合成樹脂で形成された容器の口部に伝わって外方に広がり、外筒を押圧しても、環状バンドによりその変位を阻止されるので、容器口部と外筒との密着状態を維持することができる。
【発明を実施するための最良の形態】
【００１５】
この発明の第１実施の形態を図１〜図２により説明する。
容器１の口部２には、キャップ３が装着されている。この容器１は、合成樹脂、例えば、PET（ポリエチレンテレフタレート）樹脂で形成された、所謂ペットボトルである。
【００１６】
この口部２の外周面には、環状係止部２ａが設けられている。キャップ３は、キャップ本体５と、該キャップ本体５に螺着される上蓋３１と、を備えている。
【００１７】
キャップ本体５は、合成樹脂、例えば、ポリエチレンにより形成され、その天板壁６の上面には、螺子筒７と注出筒８が同心状に立設され、又、その下面には、前記口部２を挟持する内筒９と外筒１０と、が設けられている。
【００１８】
外筒１０の下端側の内面には、前記環状係止部２ａと係合する環状突条１１が設けられ、又、前記環状突条１１の上方側の、外筒１０には、周方向弱化線１３が設けられている。この周方向弱化線１３は、斜めスコア１４と連続し、この先端部分はタブＴになっている。
【００１９】
なお、１６は注出筒８を閉鎖する遮断壁、１７は該遮断壁１６に設けた裂溝、１８は裂溝１７を引き裂くためのプルリング、１９は外筒１０の外周面下部に設けた第１ラチェット、をそれぞれ示す。
【００２０】
上蓋３１は、キャップ本体５よりも耐熱性の高い合成樹脂、例えば、ポリプロピレンで形成され、天面部３３と、該天面部３３に連続するスカート部３４と、を備えている。天面部３３の内面には、閉蓋時に注出筒８の先端部に当接する環状シール部３５が設けられ、スカート部３４の内周面には、前記螺子筒７と螺合するねじ部３６が設けられている。
【００２１】
前記スカート部３４は、ブリッジ３７を介して環状バンド３８に連続している。環状バンド３８は、上蓋３１と同一材料で形成され、その下端側内面には、前記第１ラチェット１９と係合する第２ラチェット４０が設けられており、両ラチェット１９，４０によりラチェット機構４１が構成されている。前記環状バンド３８の第２ラチェット４０の上方側の内周面には、図２に示すように、上下方向に間隔をおいて、シール手段、例えば、第１コンタクトリング４３、第２コンタクトリング４５が設けられている。このコンタクトリング４３，４５は、環状バンド３８の内周面と外筒１０の外周面間の隙間ｔを密封する手段であり、その本数や取り付け位置等は、必要に応じて適宜選択される。
【００２２】
次に、本実施の形態の作動について説明する。
キャップの装着
高温状態の液体調味料（内容液）をペットボトル１に充填した後、前記キャップ３を口部２に打栓機により打栓装着する。
【００２３】
この時、キャップ本体５の内筒９の外周面は、口部２の内周面に密着し、又、外筒１０の環状突条１１は口部２の環状係止部２ａに係合する。
【００２４】
打栓後、時間が経過するに従って内溶液の熱が口部２に伝わるので、該口部２は内筒９に押し広げられ外方に拡がるとともに、外筒１０は前記口部２に押圧されて、外方に広がろうとする。ところが、この外筒１０は、該外筒１０より耐熱性の高い環状バンド３８のインナーリング４３，４５に密着しているので、その外方への広がりを阻止される。そのため、口部２と外筒１０との密着力は低下することがないので、液漏れが発生することはない。
【００２５】
又、隙間ｔは、コンタクトリング４３，４５によりシールされているので、打栓装着後に前記ペットボトル１を冷却洗浄水で洗浄しても、ラチェット機構４１に前記洗浄水の一部が侵入するのを防止することができる。
【００２６】
不正開封
不正開封しようとして上蓋を指で摘んで開蓋方向に回転させると、第２ラチェット４０が第１ラチェット１９に係止し環状バンド３８の回転を阻止する。更に上蓋３１を同方向に回すと、ブリッジ３７に大きな力が加わり、該ブリッジ３７は切れてしまう。そのため、開蓋後、再び上蓋３１をキャップ本体５に螺着して閉蓋状態にしても、ブリッジ３７が切れているので、不正開封されたことを知ることができる。
【００２７】
開蓋
内容液を使用する場合には、上蓋３１を指で摘み、開蓋方向に回転させ、螺子筒７とねじ部３６との螺合を解除すると、ブリッジ３７が切れるとともに、上蓋３１が外れる。そして、プルリング１８を斜め上方に引っ張ると、裂溝１７から切れて遮断壁１６に開口が形成される。この状態で、ペットボトル１を傾けると、内容液が注出筒８を伝って外部に流出する。所望量の内容液を抽出した後、ペットボトル１を元の状態に戻し、上蓋３１を閉蓋方向に回転させて螺着する。
【００２８】
分別回収
内容液が無くなったら、上蓋３１を外し、環状バンド３８を取り外した後、キャップの外筒に設けられたタブＴを外方に引っ張って斜めスコア１４を切り裂く。その後、該タブＴを周方向に引っ張ると周方向弱化線１３が切れ、環状係止部２ａに係止している環状突条１１が外れる。そのため、キャップ３の軸方向の抵抗が無くなるので、この状態で上蓋３１を握って上方に引っ張ると、キャップ本体５は口部２から容易に外れる。
【００２９】
この発明の第２実施の形態を図３により説明するが、図１、図２と同一図面符号は、その名称も機能も同一である。
この実施の形態と前記実施の形態との相違点は、コンタクトリング５３を一本だけ設けると共に、外筒１０の外周面に、前記コンタクトリング５３の環状受け溝５４を形成したことである。
この実施の形態では、コンタクトリング５３が環状受け溝５４に遊嵌合しているので、第１実施の形態に比べ、隙間ｔを小さくすることができる。
【００３０】
この発明の第３実施の形態を図４により説明するが、図１、図２と同一図面符号は、その名称も機能も同一である。
この実施の形態と前記実施の形態との相違点は、次の通りである。
外筒１０のラチェット１９が、環状突条１１より上方の、外周面段状部６０に設けられ、該段状部６０の底壁60aの延長線上に周方向弱化線１３が設けられていること。
【００３１】
環状バンド３８の第２ラチェット４０が内周面６２に設けられ、該環状バンド３８の天壁６２ａには、前記段状部６０の上壁６０ｂに圧接するインナーリング６５が設けられていること。
環状バンド３８の下端は、外周面段状部６０の底壁６０ａに当接していること。即ち、外筒１０の下端に達していないこと。
上記形態とすることで、環状バンド３８をキャップ本体５から取り外す操作の必要なくして、キャップ本体５の外筒１０に設けたタブＴ及び斜めスコア１４、周方向弱化線１３を切り裂くと環状係止部２aに係止している環状突条１１が外れ、キャップ３の軸方向の抵抗が無くなるので、この状態で上蓋３１を握って上方に引っ張ると、キャップ本体５は口部２から容易に外れる。
【００３２】
この発明の実施の形態は、上記に限定されるものではなく、例えば、コンタクトリングを環状バンドの内周面に設ける代わりに、外筒の外周面に設けても良い。
【図面の簡単な説明】
【００３３】
【図１】本発明の第1実施の形態を一部縦断面である。
【図２】図１の要部拡大図である。
【図３】本発明の第２実施の形態を示す断面図で、図２に相当する図である。
【図４】本発明の第３実施の形態を示す拡大縦断面図である。
【符号の説明】
【００３４】
１      容器
２      口部
３      合成樹脂製キャップ
５      キャップ本体
６      天板壁
７      螺子筒
８      注出筒
９      内筒
１０    外筒
１１    環状突条
１３    周方向弱化線
３１    上蓋
３７    ブリッジ
３８    環状バンド
４１    ラチェット機構
４３    第１コンタクトリング
４５    第２コンタクトリング
【図１】
2005239193.tif 000003
【図２】
2005239193.tif 000004
【図３】
2005239193.tif 000005
【図４】
2005239193.tif 000006